(57)【要約】【構成】  靴の腰裏あるいはバックバンドに当接する滑り止めを表面に備えた当て部と該当て部の一端部を折曲した係止片と、前記当て部の背面側に突設した紙管挿通用突出体とよりなる係止具と、該記係止具が脱着可能な紙管とよりなる保形補助具であって、係止具の係止片をかがと部あるいはバックバンドに係止し、当て部を腰裏あるいはバックバンドに当接し、紙管の他端を靴の甲部内に装填される弾性を有する保形材に当接し該保形材を常時押圧して甲部の保形をなす靴用保形補助具であって、前記係止具が合成樹脂材料と紙材料の混合材料から成型され、前記の混合材料において紙材料の占める重量割合が混合材料の全重量に対して５１％〜５７％の範囲内としたこと。【効果】  靴の甲部の保形のための補助具として有用であり、しかも係止具も紙管もともに可燃物として処理が可能であり、環境問題に適した靴用保形補助具である。【選択図】  図２
2005230346.tif 000002
【特許請求の範囲】
【請求項１】
靴の腰裏あるいはバックバンドに当接する滑り止めを表面に備えた当て部と該当て部の一方の端部を折曲して形成した係止片と、前記当て部の背面側中央に突設した紙管挿通用突出体とよりなる係止具と、前記係止具の紙管挿通用突出体が挿嵌され靴の甲部内に装填される弾性を有する保形材に当接し該保形材を常時押圧する紙管よりなる靴用保形補助具において、前記係止具を合成樹脂材料と紙材料とを混合せしめた混合材料によって成型して構成し、かつ、前記の紙材料の占める重量割合を混合材料の全重量に対して５１％〜５７％の範囲内としたことを特徴とする靴用保形補助具。
【発明の詳細な説明】
【技術分野】
【０００１】
本発明は、靴の甲部の内側に保形のために装填された弾力性を有する保形材と腰当て部あるいはバックバンドとの間に介装され前記保形材を押圧する靴用保形補助具に関し、婦人靴、紳士用靴、スポーツシューズ等の保形のために使用される保形補助具に関する。
【背景技術】
【０００２】
従来の一般にシューキーパと称される靴の保形のために使用されるものは、靴の甲の部分の内側に挿嵌可能な形状に形成した塩化ビニール等の合成樹脂の独立気泡体や発泡樹脂成形品が使用されていたが、これらは靴の甲部に充填状態で装着されているためかび等の発生の恐れがあった。
【０００３】
そこで、靴の形状の維持を図りながら靴内の通気性を良好にしたシューキーパとして、図５、図６に示すものが従来より知られている。シューキーパ２１は、天然セルローズ繊維で製作された厚紙を積層して得たバルカナイズドファイバーの先端中心部に窪み部２３を設け、該窪み２３から左右に非対象に形成した翼形状２２の後部中央から延出形成して中底又は中敷きに接する接続片２４を設け、該接続片２４の後部には折曲げ部２５を介して足後部相当部位の靴の腰裏２７に弾圧状に接する靴の腰裏当て片２６が連接されている。そして靴の甲部の内側に前記した左右の翼端部が重畳するように折り曲げられた状態で挿し込むとともに靴の腰裏２７にはシューキーパ２１の腰裏当て片２６を起立させて当接するようにしている（特許文献１参照）。
【特許文献１】特開２００３ー１８９９１０号公報
【発明の開示】
【発明が解決しようとする課題】
【０００４】
上記した特許文献１に示すシューキーパ２１は、その材料としてバルカナイズドファイバーにて形成した左右非対象の内側翼形状を先端中心部の窪み部から左右部が重なるようにして折り曲げ、内側翼形状の後端中央部の折返し自在な連接片を介して連接している左右非対象の外側翼形状によって折り曲げた内側翼形状を包み込むようにして外側翼形状左右の翼端部が重畳するように折り曲げられるために、内外翼形状を二重に折り曲げた状態で靴の甲部内側に挿し込むことになるので、折り曲げ形状のバネ状弾力及びバルカナイドファイバー自体の腰力が一層増し、靴の甲部の内側より一層強く弾圧状に接しより一層良好に保形を図ることができる等の効果を有するものである。
【０００５】
上記した従来のシューキーパは靴の甲部の保形には良好な効果を有するものであるが、それぞれの靴のサイズに合わせたものを複数用意する必要があり、また、バックストラップタイプの婦人靴のバックバンドの垂れ下がりを防止しつつかつ甲部の保形をしようとするには多少の問題があった。従来より、このような点を考慮してバックストラップタイプの婦人靴に適用可能なばかりでなく一般的な婦人靴、紳士靴等に使用される保形補助具として図４に示されるような合成樹脂製の保形補助具がみられた。
【０００６】
図４において、保形補助具３０がバックストラップに使用された状態を示すが、保形補助具３０は、合成樹脂で製された係止部３１と該係止部３１が脱着自在とされたストロー３２とよりなり、前記係止部３１は、当て部３３と該当て部３３の一端は折り曲げて係止片３４とされ、前記当て部３３の裏面には前記ストロー３２に挿通されて脱着自在とされるための突出体を有している。そして、前記した係止部３１の突出体をストロー３２の一端に挿嵌することにより保形補助具３０が構成される。そして、前記の保形補助具の係止片３４を、バックストラップの婦人靴におけるバックバンドＢに係止するとともに、当て部３３をバックバンドの内側に当接し、ストロー３２の他端を靴の甲部内に装填される弾性を有する保形材３６に当接せしめて該保形材３６を押圧することによって甲部の保形とバックバンドの垂れ下がりを防止することを可能としている。
【０００７】
しかしながら、上記した従来の保形補助具３０は全てが合成樹脂で製作されているために、近時環境に対する認識の向上とともに一般の消耗品のような可燃物として処理されなくなり、その処理のうえで問題を生じていた。そこで、前記した保形補助具の内の一部であるストロー３２を従来よりよく知られている紙製の管として環境問題に対処しようとしたが、係止部３１は合成樹脂のため一般の可燃物として処理することができず、合成樹脂製の係止具３１と紙製のストロー３２とを分別して処理しなければならず、その処理に手数がかかり面倒であった。そこで、本発明は、保形補助具の係止部及びストローを共に可燃物として処理が可能であり環境問題を考慮した靴用の保形補助具の提供を目的とするものである。
【課題を解決するための手段】
【０００８】
本発明に係る靴用保形補助具は、前記の目的を達成するために、靴の腰裏あるいはバックバンドに当接する滑り止めを表面に備えた当て部と該当て部の一方の端部を折曲して形成した係止片と、前記当て部の背面側中央に突設した紙管挿通用突出体とよりなる係止具と、前記係止具の紙管挿通用突出体が挿嵌され靴の甲部内に装填される弾性を有する保形材に当接し該保形材を常時押圧する紙管よりなる靴用保形補助具において、前記係止具を合成樹脂材料と紙材料とを混合せしめた混合材料によって成型して構成し、かつ、前記の紙材料の占める重量割合が混合材料の全重量に対して５１％〜５７％の範囲内としたことをその特徴とするものである。
【発明の効果】
【０００９】
本発明に係る靴用保形補助具は、係止具と紙管とより構成され、前記の係止具は、靴の腰裏あるいはバックバンドに当接する当て部の一方の端部を折曲して係止片を形成したので、容易に靴に係止することができ、しかも前記の当て部の表面の滑り止めにより係止具が上下方向に移動することを防止でき、また、前記係止具の当て部の背面側中央に突設された紙管挿通用突出体が紙管に挿嵌されて両者を一体とした保形補助具を形成しているので、該保形補助具を靴の甲部内に装填される弾性を有する保形材に当接させ、該保形材を常時押圧するように構成しているので靴の甲部は保形され、また、前記係止具が合成樹脂材料と紙材料との混合材料によって成型されるとともに紙材料の占める重量割合が混合材料の全重量に対して５１％〜５７％の範囲としたので係止具も紙管もともに一般の可燃物として処理が可能であり、環境問題に配慮された靴用の保形補助具として有用である。
【００１０】
また、本発明の保形補助具は、係止具と紙管よりなるものであるので、どのようなサイズの靴であっても靴の甲部内に装填する弾性の保形材や紙管の長さを調整することにより適用可能である。
【発明を実施するための最良の形態】
【００１１】
本発明を説明すると、図１は靴用保形補助具を示し、図２は図１の保形補助具の分解説明図を示し、靴用保型補助具１は、係止具２と紙管３（紙製のストロー）よりなるものであり、前記した係止具２は、靴の腰裏あるいはバックバンドに当接する滑り止め４、４を備えた当て部５と、該当て部５の一端を折曲して形成した係止片６と、前記当て部の５背面中央に突設した紙管挿通用突出体７よりなるものである。そして、前記した紙管３の一端に前記の係止具２の当て部５の背面中央に突設された紙管挿通用突出体７が挿嵌されることによって前記係止具２と紙管２とが一体化され靴用保形補助具１が構成されるものである。
【００１２】
上記した係止具２と紙管３とによって構成された靴用保形補助具１を、その係止具２の係止片６を靴のかがと部あるいはバックバンドに係止し、係止具２の当て部５を腰裏あるいはバックバンドの裏側に当接し、係止具２の突出体７が一端に挿嵌され前記係止具２と一体化された紙管３の他端を靴の甲部内に装填した弾性を有する保形材９に当接せしめて該保形材９を常時押圧するように介装したので、靴の甲部の保形ができ、また、先に説明したようにバックストラップタイプの婦人靴にあっては甲部の保形とともにバックバンドは係止具２によって支えられているので該バックバンドの垂れ下がりをも防止することができるものである。
【００１３】
前記した係止具２の当て部５の表面に設けられた滑り止め４は、本実施の形態においては当て部５の短手方向に平行に２本の突状体で示されているが、これに限定されるものでなく多数の凹凸部で形成されてもよく、要は滑り止めの効果を有するものであればどのような構成でもよい。また、靴の甲部内に装填する保形材は弾性を有するものであればどのような部材であってもよく、例えば紙を丸めて構成したもの等一般的な可燃物で構成されたものであれば差し支えがない。
【００１４】
本実施の形態においては、前記した係止具２は、紙材料（例えば古紙）を主体とする材料と合成樹脂（例えばポリプロピレン、ポリカーボネート）とを混合した混合材料によって成型されるものであるが、該混合材料において前記の紙を主体とする材料の占める重量割合が該混合材料の全重量に対して５１％〜５７％との範囲内とされている。これは、紙材料の占める重量割合が混合材料全体の重量の５７％以上であると係止具２を成型するとき射出成型に適さないし、また、紙材料の占める重量割合が５１％以下の場合は廃棄物において可燃物として扱われないものであり、分別の対象になるからである。
【００１５】
そして、前記した係止具２は所定の形状に加工された金型を射出成型機に取付け温度等を所定の条件に設定して溶融された前記の混合材料を前記の金型に高圧で注入することによって射出成型が可能であり、このときの温度は１７０℃以下とするのがよく、好ましくは１５０℃〜１７０℃とするのがよい。これは１７０℃より高温としたときは紙材料が焦げる恐れがあるためであり、また、注入圧力は通常の合成樹脂の射出成型の圧力より多少高めに設定するのがよく、成型樹脂温度を下げた状態で、やや高い射出圧力で混合材料を押し込むようにするのがよい。また、前記の紙材料と合成樹脂の混合材料に必要に応じて流動剤を加えることも可能であり、このような態様によって成型することにより所要の硬度を有する係止具が形成される。
【００１６】
上記のように形成された係止具２は充分な硬度を有し、しかも、可燃物として処理されることになり、従来の合成樹脂製の係止具のように分別処理する必要もなく、紙管とともに一般の可燃物として廃棄処理が可能であり環境問題に適応することができるものである。そして、前記した紙材料は古紙のように廃棄される紙を利用することができ、資源の有効活用に資することができるものであり。
【産業上の利用可能性】
【００１７】
本発明は、靴の保形補助具に関し、靴の甲部あるいはバックバンド等の形状を保形するのに役立つものであるとともにバックバンドの垂れ下がりを防止するのに有効な発明である。
【図面の簡単な説明】
【００１８】
【図１】本発明の保形補助具の説明図
【図２】図１の分解説明図
【図３】保形補助具を靴に適用した説明図
【図４】バックストラップの保形補助具の説明図
【図５】従来のシューキーパの正面図
【図６】図４のシューキーパ−の使用状態の説明図
【符号の説明】
【００１９】
１  靴用保形補助具
２  係止具
３  紙管
５  当て部
６  係止片
７  突出体
【図１】
2005230346.tif 000003
【図２】
2005230346.tif 000004
【図３】
2005230346.tif 000005
【図４】
2005230346.tif 000006
【図５】
2005230346.tif 000007
【図６】
2005230346.tif 000008